(57)【要約】      （修正有）【課題】スコアボードに近づくことなく、スコアを進めることができ、スコアをつける専用の者を配置しなくても良いスコアボードを提供する。【解決手段】平面板状であり内部に円形部分を有する凹部５が形成されると共に窓７が少なくとも片面に設けられた本体１と、本体の凹部に回転自在に配設され且つ表面にスコアを表示する字が設けられたスコア円板２と、本体内に挿通されて外に延出したスコアを進めるためのロープ４と、ロープの引き動作によりスコア円板を所定方向に回転させる回転機構３と、を備える。回転機構は、スコア円板の周囲に形成した字２ａのピッチ角度と対応したピッチ角度を有するラチェット歯８と、凹部の下方に形成した溝６に沿って移動すると共にロープに連結され、爪１０が移動時にラチェット歯と係合可能で且つ弾性部材１５により本体内部に接続された爪棒９と、から構成される。【選択図】図３
0003191649.tif 000002
【実用新案登録請求の範囲】
【請求項１】
平面板状であり内部に円形部分を有する凹部が形成されると共に窓が少なくとも片面に設けられた本体と、
前記本体の凹部に回転自在に配設され且つ表面にスコアを表示する字が設けられたスコア円板と、
前記本体内に挿通されて外に延出したスコアを進めるためのロープと、
前記ロープの引き動作により前記スコア円板を所定方向に回転させる回転機構と、
を備えたことを特徴とするスコアボード。
【請求項２】
前記回転機構は、
前記スコア円板の周囲に形成した前記字のピッチ角度と対応したピッチ角度を有するラチェット歯と、
前記凹部の下方に形成した溝に沿って移動すると共に前記ロープに連結され、爪が移動時に前記ラチェット歯と係合可能に設けられ且つ弾性部材により本体内部に接続された爪棒と、
から構成されることを特徴とする請求項１に記載のスコアボード。
【請求項３】
更に、前記ロープを通すフックを備えたことを特徴とする請求項１又は２に記載のスコアボード。
【請求項４】
前記本体を差し込む左右一組の差込部と、
差込部同士を接続すると共に卓球台の上面に固定するクランプ手段と、
を備えたことを特徴とする請求項１〜３のいずれか一つに記載のスコアボード。
【考案の詳細な説明】
【技術分野】
【０００１】
本考案は、卓球やテニス等のスコアを表示するスコアボードに関するものである。
【背景技術】
【０００２】
従来から卓球等に使用する簡易スコアボードとして、特許文献１に記載されているようなものが知られている。この簡易スコアボードは、支柱により支持した得点板吊り下げ部材にセット取得カードを吊り下げて固定した構造である。支柱は、カメラの三脚等の頂部に固定され、所定の高さにして使用される。
【先行技術文献】
【特許文献】
【０００３】
【特許文献１】登録実用新案第３１６３２２３号公報
【考案の概要】
【考案が解決しようとする課題】
【０００４】
しかしながら、上記従来の簡易スコアボードは、得点するたびにセット取得カードをめくるため、簡易スコアボードの置いてある場所に移動しなければならない。或いは、スコアをつける専用の者を配置しなければならないという問題点があった。この考案は、係る問題点を解決するためになされたものである。
【課題を解決するための手段】
【０００５】
本考案のスコアボードは、平面板状であり内部に円形部分を有する凹部が形成されると共に窓が少なくとも片面に設けられた本体と、前記本体の凹部に回転自在に配設され且つ表面にスコアを表示する字が設けられたスコア円板と、前記本体内に挿通されて外に延出したスコアを進めるためのロープと、前記ロープの引き動作により前記スコア円板を所定方向に回転させる回転機構とを備えたことを特徴とする。
【０００６】
また、本考案のスコアボードは、上記考案において、前記回転機構は、前記スコア円板の周囲に形成した前記字のピッチ角度と対応したピッチ角度を有するラチェット歯と、前記凹部の下方に形成した溝に沿って移動すると共に前記ロープに連結され、爪が移動時に前記ラチェット歯と係合可能に設けられ且つ弾性部材により本体内部に接続された爪棒とから構成されることを特徴とする。
【０００７】
また、本考案のスコアボードは、上記考案において、更に、前記ロープを通すフックを備えたことを特徴とする。
【０００８】
また、本考案のスコアボードは、上記考案において、前記本体を差し込む左右一組の差込部と、差込部同士を接続すると共に卓球台の上面に固定するクランプ手段とを備えたことを特徴とする。
【図面の簡単な説明】
【０００９】
【図１】この考案の実施の形態に係るスコアボードを示す正面図である。
【図２】図１に示したスコアボードを示す側面図である。
【図３】図１に示したスコアボードの内部構造を示す説明図である。
【図４】図１のスコアボードの断面図である。
【図５】このスコアボードの使用状態を示す説明図である。
【図６】フックの例を示す斜視図である。
【考案を実施するための形態】
【００１０】
このスコアボード１００は、平面板状の内部が中空となる本体１と、本体１の内部に配置したスコア円板２と、スコア円板２を所定方向に回転させる回転機構３と、回転機構３を動かすロープ４とから構成される。
【００１１】
本体１の内部には、円形の凹部５が形成されている。凹部５の下側は、回転機構３の構成要素を配置する溝６が形成されている。本体１には内部に配置するスコア円板２の文字が外側から見えるようにするため両面に窓７が設けられる。窓７の形状は、扇子形状であるが、これに限定されるものではない。また、窓７は、本体１の両面に設けるのが好ましいが、片面のみでも良い。
【００１２】
スコア円板２には、円周方向にスコアを表示するための数字２ａが設けられる。スコア円板２は、前記数字２ａが前記窓７に対して対向するように前記本体１に組み込まれる。前記凹部５は全体的に円形であり、その半径はスコア円板２の半径より若干大きめとなる。このため、スコア円板２を凹部５に配置した場合に、スコア円板２が自由に回転可能となる。なお、図示しないが、凹部５の中心に軸を設け、この軸に対応する軸穴をスコア円板２の中心に設け、当該軸を軸穴に通すことでスコア円板２を正確に回転させるようにしても良い。これにより、スコア円板２が本体１の凹部５内で自由に回転可能な状態となる。スコア円板２の厚さは、凹部５の深さより小さい。
【００１３】
スコア円板２の円周端面には、一方向にのみ進めるためのラチェット歯８が設けられる。ラチェット歯８の角度ピッチは、スコア円板２の各数字２ａの角度ピッチと同じである。
【００１４】
回転機構３は、本体１の凹部５の下方に設けた溝６に沿って摺動可能に配置した長手状の爪棒９を有する。爪棒９の先端はかぎ状の爪１０になっている。また、爪棒９の先端はスプリング１５に接続され、このスプリング１５は本体１に対して固定される。前記スプリング１５は、ゴム等の弾性部材でも良い。爪棒９の中央付近下部には、ロープ４が接続されている。ロープ４は、溝６から分岐した引出溝１１に挿通されて外に延出される。爪棒９の後端９ａは、ロープ４で引かれた際にストッパ溝１２に入り込み、所定位置で奥に当たり停止するようになっている。このロープ４の他端は、プレーヤーが摘まみやすいように円形や円柱状の摘みを設けることができる。
【００１５】
爪棒９の先端近傍は、若干スコア円板２側に湾曲しており、水平移動することで当該爪１０がラチェット歯８に引っ掛かるようにしてある。ラチェット歯８と爪１０との係合は、フック本体１を引き寄せた状態で外れるように設定される。以上の本体１の構成は比較的簡素であり且つ故障が少なく、部品点数が少ないうえに組み立てやすい。また、爪棒９を金属等の耐久性の高いものとすれば、プレー中の荒い使用にも耐えられる。
【００１６】
また、本体１は左右で一組であり、各本体１はホルダ２０により卓球台５０に設置される。ホルダ２０は、本体１の厚さと略同一の内側幅を有する差込部２１と、卓球台５０に対して取り付けるクランプ板２２とから構成される。差込部２１は、２枚のプレートを対向して設け、上部及び側部を開放した構造であり、左右それぞれが略矩形である。この差込部２１の一組が中央のクランプ板２２により連結される。
【００１７】
クランプ板２２は、卓球台５０のネット５２の支柱５３を固定するクランプ５１により、卓球台５０の上面に重ねて固定される。クランプ板２２の長さはネット５２のクランプ５１の幅より大きくする。また、クランプ板２２は、薄手のものが良い。クランプ板２２は、卓球台のクランプ５１により固定するものではなく、クランプ板２２自体にクランプを設けて直接取り付けるようにしても良い（図示省略）。また、ホルダ２０の差込部２１は、全体的に傾いており本体１を取り付けた場合に、当該本体１の面が傾斜してプレーヤーが見やすいようにする。
【００１８】
卓球台５０の角には、図５に示すように、ロープ４の方向を変更するフック３０を取り付けても良い。このフック３０は、ロープ４の方向を変更するものであり、或いは、ロープ４を卓球台５０の高さに保持するものである。図５の例では、フック３０によりロープ４の方向を卓球台５０に対してプレーヤーが対向する面に沿って配設するために用いている。フック３０の形状は、ロープ４を挿通する鍵状部３１（又は穴）を備えたものであれば、同図に示した例に限定されるものではない。
【００１９】
図６は、フック３０の例を示す斜視図である。このフック３０は、本体部３２が断面Ｌ字形状のクリップになっており、溝３３を卓球台５０の梁に差し込むことで当該卓球台５０に対して取り付け自在である。このクリップの形状等も適宜公知の構造を採用可能である。当該クリップに前記鍵状部３１が設けられる。フック３０の取付位置は、プレーヤーにより自由である。例えば、図５の例では卓球台５０の角に設置してロープ４を手前に配設することで、プレーヤーが操作し易いようにしている。また、図示しないが、卓球台５０の角でロープ４を垂らして、プレーの邪魔にならないようにしても良い。また、フック３０は、複数を卓球台５０に取り付けて使用しても良い。
【００２０】
次に、このスコアボード１００の使用方法を説明する。プレーヤーがスコアを進める場合、卓球台５０の所定位置からロープ４を引っ張る。これにより、本体１の内部の爪棒９が引っ張られ、爪棒９の先端の爪１０がスコア円板２のラチェット歯８に係合する。そのまま爪棒９を引っ張ることでスコア円板２が回転する。ラチェット歯８のピッチ角度は、スコア円板２に印刷した数字２ａのピッチ角度と同じである。
【００２１】
続いて、爪棒９を引っ張ることで爪１０とラチェット歯８との係合が外れると共に、爪棒９の後端がストッパ溝１２に入り込み、所定の位置でストッパ溝１２の奥に当たって止まる。このため、プレーヤーはロープ４の引き具合を気にすることなく操作が可能となる。そして、プレーヤーがロープ４を離すと、スプリング１５により爪棒９が引っ張られ、初期位置に戻る。これにより、本体１の窓７から見える数字２ａが進む。
【００２２】
このようにすれば、プレーヤーは、スコアボード１００に近づくことなく、スコアを進めることができる。また、スコアをつける専用の者を配置しなくても良い。前記ロープ４の長さを長くすることで、テニスやバレーボール等にも用いることができる。本体１の大きさは限定されないが、例えば卓球用は小さく、テニスやバレーボール等の球技エリアが広いものでは大きくすると良い。
【符号の説明】
【００２３】
１００  スコアボード
１  本体
２  スコア円板
３  回転機構
４  ロープ
５  凹部
６  溝
７  窓
８  ラチェット歯
９  爪棒
１０  爪
【図１】
0003191649.tif 000003
【図２】
0003191649.tif 000004
【図３】
0003191649.tif 000005
【図４】
0003191649.tif 000006
【図５】
0003191649.tif 000007
【図６】
0003191649.tif 000008